(57)【要約】  本明細書では、取引カードの保有者に１又はそれ以上の取引カードサービスを提供する方法を開示し、この方法は、取引カードの発行者と取引カードとに関連する登録コードを保有者から受け取るステップと、登録コードの少なくとも一部に基づいて取引カードの発行者を特定するステップと、登録コードを取引カードの発行者へ送信するステップと、登録コードと取引カードとに関連するアカウント情報を発行者から受け取るステップと、アカウント情報の少なくとも一部を保有者に表示するステップと、アカウント情報に対応する検証値を保有者から受け取るステップと、検証値が有効であれば、登録する１又はそれ以上のサービスの選択を保有者に許可するステップとを含む。【選択図】図１
2010503933.tif 000002
【特許請求の範囲】
【請求項１】
取引カードの保有者に１又はそれ以上の取引カードサービスを提供する方法であって、
前記取引カードの発行者と前記取引カードとに関連する登録コードを前記保有者から受け取るステップと、
前記登録コードの少なくとも一部に基づいて前記取引カードの発行者を特定するステップと、
前記登録コードを前記取引カードの発行者へ送信するステップと、
前記登録コードと前記取引カードとに関連するアカウント情報を前記発行者から受け取るステップと、
前記アカウント情報の少なくとも一部を前記保有者に表示するステップと、
前記アカウント情報に対応する検証値を前記保有者から受け取るステップと、
前記検証値が有効であれば、登録する１又はそれ以上のサービスの選択を前記保有者に許可するステップと、
を含むことを特徴とする方法。
【請求項２】
前記登録コードは、取引カード発行者から前記保有者により受け取られる、
ことを特徴とする請求項１に記載の方法。
【請求項３】
前記登録コードは、前記アカウント情報とは相関性がない、
ことを特徴とする請求項１に記載の方法。
【請求項４】
前記登録コードは、前記取引カードの発行者に対応する発行者コードを含む、
ことを特徴とする請求項１に記載の方法。
【請求項５】
前記保有者から前記登録コードを受け取る前に前記保有者からアカウント設定情報を受け取るステップをさらに含む、
ことを特徴とする請求項１に記載の方法。
【請求項６】
前記アカウント情報はアカウント識別子を含む、
ことを特徴とする請求項１に記載の方法。
【請求項７】
前記アカウント情報は暗号化形式で受け取られる、
ことを特徴とする請求項１に記載の方法。
【請求項８】
前記アカウント情報の一部を隠して、機密情報が表示されるのを防ぐ、
ことを特徴とする請求項１に記載の方法。
【請求項９】
前記検証値は、前記取引カードのカード検証値（ＣＶＶ）である、
ことを特徴とする請求項１に記載の方法。
【請求項１０】
取引カードの保有者に１又はそれ以上の取引カードサービスを提供するシステムであって、
前記保有者のアカウント情報に基づいて発行者システム側で登録コードを生成し、該登録コードを前記保有者へ送信するための発行者システムと、
前記取引カードの発行者と前記取引カードとに関連する登録コードを前記保有者から受け取り、
前記登録コードの少なくとも一部に基づいて前記取引カードの発行者を特定し、
前記登録コードを前記発行者システムへ送信し、
前記登録コードと前記取引カードとに関連するアカウント情報を前記発行者システムから受け取り、
前記アカウント情報の少なくとも一部を前記保有者に表示し、
前記アカウント情報に対応する検証値を前記保有者から受け取り、
前記検証値が有効であれば、登録する１又はそれ以上のサービスの選択を前記保有者に許可する、
ための協会システムと、
を備えることを特徴とするシステム。
【請求項１１】
前記登録コードは、前記アカウント情報とは相関性がない、
ことを特徴とする請求項１０に記載のシステム。
【請求項１２】
前記登録コードは、前記取引カードの発行者に対応する発行者コードを含む、
ことを特徴とする請求項１０に記載のシステム。
【請求項１３】
前記協会システムは、前記保有者から前記登録コードを受け取る前に前記保有者からアカウント設定情報をさらに受け取る、
ことを特徴とする請求項１０に記載のシステム。
【請求項１４】
前記アカウント情報はアカウント識別子を含む、
ことを特徴とする請求項１０に記載のシステム。
【請求項１５】
前記アカウント情報は暗号化形式で受け取られる、
ことを特徴とする請求項１０に記載のシステム。
【請求項１６】
前記アカウント情報の一部の一部を隠して、機密情報が表示されるのを防ぐ、
ことを特徴とする請求項１０に記載のシステム。
【請求項１７】
前記検証値は、前記取引カードのカード検証値（ＣＶＶ）である、
ことを特徴とする請求項１０に記載のシステム。
【請求項１８】
前記登録コードは、前記アカウント情報に基づいて生成される、
ことを特徴とする請求項１０に記載のシステム。
【請求項１９】
前記登録コードは、前記アカウント識別子に基づいて生成される、
ことを特徴とする請求項１８に記載のシステム。
【請求項２０】
前記登録コードは、
前記アカウント識別子の一部を抽出し、
前記アカウント識別子の前記一部を使用してダイジェストを作成し、
前記ダイジェストを暗号化し、
前記ダイジェストを使用して前記登録コードを生成する、
ことにより生成されることを特徴とする請求項１９に記載のシステム。
【発明の詳細な説明】
【背景技術】
【０００１】
〔関連出願との相互参照〕
本出願は、２００６年９月１５日に出願された、「発行者に依存せずに取引カードを登録するための方法及びシステム」と題する米国特許仮出願番号６０／８２５，７３３号に対して優先権を主張するものである。
【０００２】
一般に、消費者は、クレジットカード、デビットカードなどの取引カードを使用して取引を行う。取引カードは、代替の支払選択を上回る数多くの利点を有するため、このようなカードがよく使用される。例えば、このようなカードは小型で紛失の可能性が低いため、消費者にとっては現金を持ち歩くよりも便利なものであると考えられることが多い。さらに、取引カードを紛失した場合、カード保有者に対して損失を最小限にした状態でカードを無効にすることができる。
【０００３】
取引カードを携行することに利点があるため、カード保有者は数多くのカードを所有していることが多い。実際、典型的なカード保有者は、８枚から１０枚の間の取引カードを有することもある。この結果、一人のカード保有者が、Ｖｉｓａ（登録商標）、ＭａｓｔｅｒＣａｒｄ（登録商標）、又はＡｍｅｒｉｃａｎ  Ｅｘｐｒｅｓｓ（登録商標）などの、同じ協会が提供する複数のカードを有している可能性がある。
【０００４】
銀行などの取引カード発行者は、取引カードと連動したサービスを提供することが多い。例えば、発行者は、取引カードを使用して取引が行われた際に、カード保有者に通知を行うための支払警告プログラムを提供することができる。その他のサービスとしては、カード保有者制御（これに基づき、この取引カードを使用できる二次カード保有者に制約を課すことができる）、不正保護（取引カードを紛失したりカード保有者が盗難に遭った場合、無許可の第三者による取引が行われないように保護する）などを挙げることができる。
【０００５】
現在、このようなサービスの１又はそれ以上への登録を望むカード保有者は、不便なことに、個々の取引カードごとに発行者のサービスに登録する必要がある。このような不便さゆえ、カード保有者が、同じ協会が提供する全ての取引カードをこのサービスに登録させたい場合でも、カード保有者は、１つの取引カードについては発行者のサービスに登録するが、同じ協会が提供する別の取引カードについては登録しないということが起こり得る。さらに、カード保有者は、特定の取引カードに関して特定の所望のサービスが得られていないことを知らないか、或いは忘れてしまっている可能性がある。このことが、カード保有者間に混乱を引き起こす可能性もある。
【０００６】
カード保有者が、１又はそれ以上の取引カードに関する１以上のサービスに一括して登録し、そこで複数の発行者から取引カードが交付されることを可能にする方法及びシステムが必要とされている。
【０００７】
発行者を問わずにカード保有者の情報を集約する方法及びシステムに対するニーズが存在する。
【０００８】
カード保有者の秘密情報を公表することなく、カード保有者が１又はそれ以上のサービスに確実に登録できるようにするとともに、無許可のアカウントと取引カードを誤って関連付ける可能性を実質的に制限する方法及びシステムに対するニーズが存在する。
【発明の概要】
【発明が解決しようとする課題】
【０００９】
本開示は、上記の問題点の１又はそれ以上を解決することを目的とする。
【課題を解決するための手段】
【００１０】
本方法の説明に先立ち、説明する特定の方法又は手順は様々であってよいため、本発明はこれらの方法又は手順に限定されるものではないということを理解されたい。また、本明細書で使用する用語は、特定の実施形態を説明することのみを目的とするものであり、本開示の範囲を限定することを意図するものではなく、本開示の範囲は添付の特許請求の範囲によってのみ限定されることを理解されたい。
【００１１】
本明細書及び添付の特許請求の範囲で使用する場合、「１つの（英文不定冠詞）」及び「その（英文定冠詞）」という単数形は、文脈において単数であることがはっきりと示されない限り複数形の意味を含むことに留意する必要がある。従って、例えば、「証明書」という場合には、１又はそれ以上の証明書及び当業者に知られているこの同等物のことを意味するといったことになる。別途定義しない限り、本明細書で使用する全ての技術及び科学用語は、当業者が一般に理解する意味と同じ意味を有するものである。本発明の実施又は試験には、本明細書で説明するものと同様の、或いは同等の任意の方法及び材料を使用することができるが、好ましい方法、装置、及び材料はここで説明するものである。本明細書に記載する全ての出版物は、引用により本明細書に組み入れられる。本明細書の記載内容は、先行発明であるという理由によって、本発明がこのような開示に先行する権利がないことを認めるものであると解釈すべきではない。
【００１２】
実施形態では、カード保有者に１又はそれ以上のサービスを提供する方法が、発行者が登録コードを生成するステップと、登録コードをカード保有者へ送るステップと、カード保有者から登録コードを受け取るステップと、登録コードの少なくとも一部に基づいて発行者を特定するステップと、登録コードを発行者へ送信するステップと、登録コードに関連するアカウント識別子を発行者から受け取るステップと、アカウント識別子の少なくとも一部をカード保有者に表示するステップと、アカウント識別子に対応する検証値をカード保有者から受け取るステップと、検証値が有効であればカード保有者に１又はそれ以上のサービスの選択を許可するステップとを含むことができる。
【００１３】
以下の説明及び添付の図面に関して、本発明の側面、特徴、利点及び長所が明らかになるであろう。
【図面の簡単な説明】
【００１４】
【図１】実施形態による、複数の取引カードごとにカード保有者に１又はそれ以上のサービスを提供する例示的な処理を示すフロー図である。
【図２】実施形態による、登録コードを消費者と関連付ける例示的な処理のフロー図である。
【図３】実施形態による、中心となるウェブサイトに消費者を登録するための例示的な処理を示すフロー図である。
【図４】実施形態による、カード保有者を検証する例示的な処理を示すフロー図である。
【発明を実施するための形態】
【００１５】
図１は、一実施形態による、複数の取引カードごとにカード保有者に１又はそれ以上のサービスを提供する例示的な処理のフロー図を示している。図１に示すように、発行者は、カード保有者に登録コードを提供することができる（１０５）。登録コードは、発行者のオンラインアカウント管理システムを介して、及び／又は電話、ダイレクトメールプログラムなどのその他のカード保有者のサポートチャネルを介して、月次明細書の一部として提供することができる。登録コードとは、カード保有者に固有に割り当てられた、発行者が提供する特定のサービス及び／又は全てのサービスのためのコードのことである。一実施形態では、この登録コードは英数字コードであってもよい。一実施形態では、この登録コードは、カード保有者の主要アカウント番号（ＰＡＮ）又は他の任意のカード保有者識別情報とは相関性がない。このため、この登録コードから機密的なカード保有者の情報を特定することはできない。特定のカード保有者は、１又はそれ以上の取引カードごとに、及び／又は１又はそれ以上の発行者から登録コードを受け取ることができる。一実施形態では、個々の取引コードは、登録コードの発行者を一意に識別する発行者識別コードを含むことができる。
【００１６】
次に、カード保有者は、取引カード協会のウェブサイトなどのウェブサイトにアクセスすることができる（１１０）。カード保有者がそのウェブサイトに以前アクセスしたことがなければ、カード保有者は、ユーザ名、パスワード（又はその他の認証トークン）及び／又はその他を選択することにより一時的なアカウント設定を行うことができる（１１５）。カード保有者がすでにこのウェブサイトにアカウントを作成しているか、或いはカード保有者が一時的なアカウント設定を完了している場合、カード保有者はこのアカウントにログインすることができる（１２０）。
【００１７】
次に、カード保有者は、個々の発行者が提供する登録コードを個々の取引カードごとに入力することにより１又はそれ以上のカードを登録することができる（１２５）。特定の取引カードに関して登録コードを入力すると、ウェブサイトは、この登録コードに基づいて発行者を特定し（１３０）、この登録コードを発行者へ送信することができる（１３５）。これに応じて、ウェブサイトは、カード保有者のアカウントに関するアカウント情報を発行者から受け取ることができる（１４０）。一実施形態では、カード保有者のアカウント情報の１又はそれ以上の欄を隠し、秘密情報が表示されるのを防ぐことができる。実施形態では、ウェブサイトがアカウント情報を暗号化形式で受け取り（１４０）、解読することができる。また、発行者が提供するサービスのリストを受け取り、これを使用して、カード保有者にどのサービスを提供するかを判断することができる。この結果、カード保有者は、アカウントに申し込む１又はそれ以上のサービスを選択することができる（１４５）。カード保有者が１又はそれ以上のサービスの選択を完了すると、ウェブサイトは、処理及び登録のために、選択したサービスを発行者へ送信することができる（１５０）。
【００１８】
図２は、一実施形態による、登録コードを消費者と関連付けるための例示的な処理のフロー図を示している。図２に示すように、発行者は、１又はそれ以上のサービスを提供するための１又はそれ以上のアカウント番号を選択することができる。個々のアカウントに関して、発行者は、アカウント用のＰＡＮから銀行識別番号（ＢＩＮ）を削除することができる（２０５）。残りの数字を使用してダイジェストを作成することができる（２１０）。好ましい実施形態では、ＳＨＡ−１ハッシュアルゴリズムを使用してこのダイジェストを作成する。次に、ダイジェストを暗号化することができる（２１５）。ダイジェストを使用して登録コードを生成し（２２０）、関連するアカウント番号又はダイジェストとともにメモリに記憶する（２２５）。この結果、取引カード保有者に登録コードを与えることができる（２３０）。
【００１９】
図３は、一実施形態による、中心となるウェブサイトに消費者を登録するための例示的な処理のフロー図を示している。図３に示すように、カード保有者は、例えば、ユーザ名、パスワード、及び／又は他の任意の認証トークンを提供することにより登録ウェブサイトにログインすることができる（３０５）。次に、カード保有者は、発行者により与えられた登録コードを入力することができる（３１０）。登録ウェブサイトに関連付けられたコンピュータシステムが、登録コードに関連付けられた発行者を特定し（３１５）、登録コードを発行者へ送信することができる（３２０）。発行者は、登録コードが有効であるかどうかを判定し（３２５）、登録コードに関連付けられたアカウントを特定することができる。この結果、発行者は、関連するアカウントに関するアカウント情報を登録ウェブサイトへ送信することができる（３３０）。
【００２０】
図４は、実施形態による、カード保有者を検証する例示的な処理のフロー図を示している。図４に示すように、登録ウェブサイトは、発行者から不完全なアカウント番号を受け取ることができる（４０５）。次に、発行者とこの不完全なアカウント番号とをカード保有者に表示することができる（４１０）。表示されたアカウント番号が正しくない場合、取引をキャンセルすることができる（４１５）。カード保有者が、アカウント番号が正しいことを検証した場合、登録ウェブサイトは、関連する取引カードのカード検証値（ＣＶＶ）を求める要求を表示することができる（４２０）。次に、カード保有者は、取引カードのＣＶＶを入力することができる（４２５）。カード保有者が間違ったＣＶＶを入力した場合、取引をキャンセルすることができる（４３０）。ＣＶＶが正しかった場合、カード保有者を登録ウェブサイトに登録することができる（４３５）。
【００２１】
上記開示した様々なもの及びその他の特徴及び機能、或いはこれらの代替物を他の多くの異なるシステム又は用途と望むように組み合わせることができることが理解されるであろう。また、当業者であれば、現在予見できない、或いは予期しない様々な代替、修正、変形又は改善を後で行うこともでき、これらもまた開示した実施形態に含まれることが意図されているということを理解するであろう。
【符号の説明】
【００２２】
１０５  発行者が登録コードを提供
１１０  カード保有者がウェブサイトにアクセス
１１５  カード保有者がアカウントを設定
１２０  カード保有者がウェブサイトにログイン
１２５  カード保有者が登録コードを入力
１３０  ウェブサイトが発行者を特定
１３５  登録コードを発行者へ送信
１４０  ウェブサイトがアカウント情報を受信
１４５  カード保有者がサービスを選択
１５０  選択したサービスを発行者へ送信
【図１】
2010503933.tif 000003
【図２】
2010503933.tif 000004
【図３】
2010503933.tif 000005
【図４】
2010503933.tif 000006
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
同じ協会が発行した取引カードを発行者に依存せずに登録するためのコンピュータで実行される方法であって、
取引アカウント保有者に相当する顧客から送られ、且つ、前記取引カード及びその発行者に関連する登録コードを、インターネットサーバシステムにより実現されるウェブサイトを介して受信するステップと、
前記登録コードの少なくとも一部に基づき、前記インターネットサーバシステムにより実現される前記ウェブサイトを介して前記取引カードの発行者を特定するステップと、
前記登録コードを、前記インターネットサーバシステムにより実現される前記ウェブサイトを介して前記取引カードの発行者へ送信するステップと、
前記登録コード及び前記取引カードに関連する前記発行者からのアカウント情報を、前記インターネットサーバシステムにより実現される前記ウェブサイトを介して受信するステップと、
前記取引アカウント保有者に相当する前記顧客への配信及び該顧客による表示のために、
前記アカウント情報の少なくとも一部と、前記取引アカウント保有者を登録する１又はそれ以上のサービスの説明とを、前記インターネットサーバシステムにより実現される前記ウェブサイトを介して送信するステップと、
前記アカウント情報に対応し、且つ前記取引アカウント保有者に相当する顧客から送られた検証値を、前記インターネットサーバシステムにより実現される前記ウェブサイトを介して受信するステップと、
前記インターネットサーバシステムにより実現される前記ウェブサイトを介して、前記検証値が有効であるかどうかを判定するステップと、
前記検証値が有効であれば、前記取引アカウント保有者に相当する前記顧客から送られた、登録する１又はそれ以上のサービスの選択を、前記インターネットサーバシステムにより実現される前記ウェブサイトを介して受信するステップと、を含み、
前記選択した１又はそれ以上のサービスは、各々が前記取引アカウント保有者に対して発行された前記発行者提供の複数の取引カードに適用されることを特徴とする方法。
【請求項２】
前記登録コードは、個々の前記取引カードの前記発行者により生成される、請求項１に記載のコンピュータ実行方法。
【請求項３】
前記発行者から送られる前記アカウント情報を前記登録コードから特定することはできず、
前記取引カードに関連する前記登録コードは、銀行識別番号（ＢＩＮ）を除いた前記取引カードの主要アカウント番号（ＰＡＮ）に対して行うハッシュアルゴリズムにより生成されたダイジェストを含み、
個々の前記取引カードは、クレジットカード又はデビットカードのいずれかである、請求項１に記載のコンピュータ実行方法。
【請求項４】
前記登録コードは、前記取引カードの前記発行者に対応する発行者コードを含む、請求項１に記載のコンピュータ実行方法。
【請求項５】
前記取引アカウント保有者に相当する前記顧客から送られた登録コードを受信するステップの前に、
前記取引アカウント保有者に相当する前記顧客から送られたアカウント設定情報を、前記インターネットサーバシステムにより実現される前記ウェブサイトを介して受信するステップをさらに含む、請求項１に記載のコンピュータ実行方法。
【請求項６】
前記アカウント情報はアカウント識別子を含む、請求項１に記載のコンピュータ実行方法。
【請求項７】
前記インターネットサーバシステムにより実現される前記ウェブサイトが受信するアカウント情報は暗号化形式である、請求項１に記載のコンピュータ実行方法。
【請求項８】
前記取引カード保有者に相当する前記顧客へ配信され、かつ、該顧客により表示される前記アカウント情報の少なくとも一部は、前記アカウント情報が表示されるのを防ぐために隠される、請求項１に記載のコンピュータ実行方法。
【請求項９】
前記検証値は、前記取引カード検証値（ＣＶＶ）である、請求項１に記載のコンピュータ実行方法。
【請求項１０】
前記インターネットサーバシステムによる実行時に請求項１に記載のコンピュータ実行される方法を行うための命令を含んだコンピュータ読み取り可能な記録媒体。
【請求項１１】
同じ協会が発行した取引カードを発行者に依存せずに登録するためのコンピュータで実行される方法であって、
取引アカウント保有者に相当する顧客から送られたアカウント設定情報を、インターネットサーバシステムにより実現されるウェブサイトを介して受信するステップと、
取引アカウント保有者に相当する顧客から送られた登録コードであって、前記取引カード及びその発行者と関連し、かつ、銀行識別番号（ＢＩＮ）を除いた前記取引カードの主要アカウント番号（ＰＡＮ）に対して行うハッシュアルゴリズムにより作成されるダイジェストを含む当該登録コードを、前記インターネットサーバシステムにより実現される前記ウェブサイトを介して受信するステップと、
前記登録コードの少なくとも一部に基づき、前記インターネットサーバシステムにより実現される前記ウェブサイトを介して前記取引カードの発行者を特定するステップと、
前記登録コードを、前記インターネットサーバシステムにより実現される前記ウェブサイトを介して前記取引カードの発行者へ送信するステップと、
前記発行者から送られたアカウント情報であって、
前記登録コード及び前記取引カードに関連し、
前記登録コードから特定されず、
アカウント識別子を含み、そして、
暗号化形式である、
当該アカウント情報を、前記インターネットサーバシステムにより実現される前記ウェブサイトを介して受信するステップと、
前記取引アカウント保有者に相当する前記顧客への配信及び該顧客による表示のために、
前記アカウント情報の少なくとも一部と、前記取引アカウント保有者を登録する１又はそれ以上のサービスの説明とを、前記インターネットサーバシステムにより実現される前記ウェブサイトを介して送信するステップと、
前記取引アカウント保有者に相当する顧客から送られた前記アカウント情報に対応する前記取引カードのための取引カード検証値（ＣＶＶ）を、前記インターネットサーバシステムにより実現される前記ウェブサイトを介して受信するステップと、
前記インターネットサーバシステムにより実現される前記ウェブサイトを介して、前記検証値が有効であるかどうかを判定するステップと、
前記検証値が有効であれば、前記取引アカウント保有者に相当する前記顧客から送られた、登録する１又はそれ以上のサービスの選択を、前記インターネットサーバシステムにより実現される前記ウェブサイトを介して受信するステップとを含み、
前記選択した１又はそれ以上のサービスは、各々が前記取引アカウント保有者に対して発行されるとともにその各々に前記登録コードも関連する、前記発行者提供の複数の前記取引カードに適用されることを特徴とする方法。
【請求項１２】
発行者が発行した取引カードを発行者に依存せずに登録するシステムであって、
取引アカウント保有者に相当する顧客から送られ、且つ、前記取引カード及びその発行者に関連する登録コードを受信するためのインターネットサーバ手段と、
前記登録コードの少なくとも一部に基づき、前記取引カードの発行者を特定するためのインターネットサーバ手段と、
前記登録コードを前記取引カードの発行者へ送信するためのインターネットサーバ手段と、
前記発行者から送られ、且つ、前記登録コード及び前記取引カードに関連するアカウント情報を受信するためのインターネットサーバ手段と、
前記取引アカウント保有者に相当する前記顧客への配信及び該顧客による表示のために、
前記アカウント情報の少なくとも一部と、前記取引アカウント保有者を登録する１又はそれ以上のサービスの説明とを送信するためのインターネットサーバ手段と、
前記取引アカウント保有者に相当する顧客から送られた前記アカウント情報に対応する検証値を受信するためのインターネットサーバ手段と、
前記検証値が有効であるかどうかを判定するためのインターネットサーバ手段と、
前記検証値が有効であれば、前記取引アカウント保有者に相当する顧客から送られた、登録する１又はそれ以上のサービスの選択を受信するためのインターネットサーバ手段とを備え、
前記選択した１又はそれ以上のサービスは、各々が前記取引アカウント保有者に対して発行された前記発行者提供の複数の取引カードに適用されることを特徴とするシステム。
【請求項１３】
前記登録コードは、個々の前記取引カードの前記発行者により生成される、請求項１２に記載のシステム。
【請求項１４】
前記発行者から送られる前記アカウント情報を前記登録コードから特定することはできない、請求項１２に記載のシステム。
【請求項１５】
前記登録コードは、前記取引カードの前記発行者に対応する発行者コードを含む、請求項１２に記載のシステム。
【請求項１６】
前記取引アカウント保有者に相当する顧客から送られた前記登録コードを受信するステップの前に、前記取引アカウント保有者に相当する前記顧客から送られたアカウント設定情報を、前記インターネットサーバシステムにより実現される前記ウェブサイトを介して受信するための手段をさらに含む、請求項１２に記載のシステム。
【請求項１７】
前記インターネットサーバシステムにより実現される前記ウェブサイトで受信する前記アカウント情報が、暗号化形式である、請求項１２に記載のシステム。
【請求項１８】
前記取引カード保有者に相当する前記顧客へ配信され、該顧客が表示する前記アカウント情報の少なくとも一部は、前記アカウント情報が表示されるのを防ぐために隠される、請求項１２に記載のシステム。
【請求項１９】
前記検証値は取引カード検証値（ＣＶＶ）である、請求項１２に記載のシステム。
【請求項２０】
前記登録コードは、前記アカウント情報に基づいて生成される、請求項１２に記載のシステム。
【請求項２１】
個々の前記取引カードは、クレジットカード又はデビットカードのいずれかであり、
前記アカウント情報はアカウント識別子を含み、
前記登録コードは、
前記アカウント識別子の一部を抽出し、
前記アカウント識別子の前記一部を使用してダイジェストを作成し、
前記ダイジェストを暗号化し、そして、
前記ダイジェストを使用して前記登録コードを生成することにより作られる、請求項１２に記載のシステム。
【請求項２２】
前記取引カードに関連する前記登録コードは、銀行識別番号（ＢＩＮ）を除いた前記取引カードの主要アカウント番号（ＰＡＮ）に対して行うハッシュアルゴリズムにより作成されたダイジェストに含まれる、請求項１２に記載のシステム。
【国際調査報告】
2010503933.tif 000007